(57)【要約】【課題】  ランプユニットの取付構造を簡略にするとともに、車体カバーに設けられた突起部が損傷する可能性を軽減することが可能な鞍乗型車両を提供する。【解決手段】  鞍乗型車両１の外側から鞍乗型車両１の車体をカバーし、車体に取り付けるための突起状の突起部１１を有する車体カバー１０と、突起部１１を保持する筒部５１を有するグロメット５０と、フレーム側取付孔４２が設けられたフレーム側取付部４１を有するフレーム４０と、リアランプ側取付孔２２が設けられたリアランプ側取付部２１を有するリアランプユニット２０とを鞍乗型車両１が備え、グロメット５０が、フレーム側取付孔４２及びリアランプ側取付孔２２に挿入され、筒部５１が、フレーム側取付孔４２及びリアランプ側取付孔２２にグロメット５０が挿入される方向に開口し、突起部１１が、筒部５１に挿入されることを要旨とする。【選択図】  図５
2006088939.tif 000002
【特許請求の範囲】
【請求項１】
鞍乗型車両の外側から前記鞍乗型車両の車体をカバーし、前記車体に取り付けるための突起状の突起部を有する車体カバーと、
前記突起部を保持する筒部を有する柱状部材と、
フレーム側取付孔が設けられたフレーム側取付部を有するフレームと、
ランプ側取付孔が設けられたランプ側取付部を有するランプユニットとを備え、
前記柱状部材は、前記フレーム側取付孔及び前記ランプ側取付孔に挿入され、前記フレーム側取付孔及び前記ランプ側取付孔に前記柱状部材が挿入される挿入方向における長さが前記フレーム側取付部及び前記ランプ側取付部を含む前記フレーム側取付部と前記ランプ側取付部との前記挿入方向における距離以上となる形状を有し、
前記筒部は、前記挿入方向に開口し、
前記突起部は、前記筒部に挿入され、前記挿入方向における長さが前記フレーム側取付部と前記ランプ側取付部との前記挿入方向における距離以上となる形状を有することを特徴とする鞍乗型車両。
【請求項２】
前記フレーム側取付孔は、前記車体カバーの長手方向における長さが前記フレーム側取付孔に挿入された前記柱状部材の前記車体カバーの長手方向における長さよりも長く、前記車体カバーの短手方向における長さが前記フレーム側取付孔に挿入された前記柱状部材の前記車体カバーの短手方向における長さと略等しい長孔であることを特徴とする請求項１に記載の鞍乗型車両。
【請求項３】
前記ランプ側取付孔は、前記車体カバーの長手方向における長さが前記ランプ側取付孔に挿入された前記柱状部材の前記車体カバーの長手方向における長さと略等しく、前記車体カバーの短手方向における長さが前記ランプ側取付孔に挿入された前記柱状部材の前記車体カバーの短手方向における長さと略等しい孔であることを特徴とする請求項１に記載の鞍乗型車両。
【請求項４】
前記ランプ側取付部は、前記フレーム側取付部よりも前記鞍乗型車両の外側に配置されることを特徴とする請求項１に記載の鞍乗型車両。
【請求項５】
前記柱状部材は、前記ランプ側取付部及び前記フレーム側取付部によって保持される胴部と、前記胴部よりも前記鞍乗型車両の内側に位置する内側端部と、前記胴部よりも前記鞍乗型車両の外側に位置する外側端部とを有し、
前記筒部の開口面と平行な前記内側端部の断面の少なくとも一部は、前記開口面と平行な前記胴部の断面よりも外側に張り出し、
前記開口面と平行な前記外側端部の断面の少なくとも一部は、前記開口面と平行な前記胴部の断面よりも外側に張り出し、
前記挿入方向における前記胴部の長さは、前記フレーム側取付部と前記ランプ側取付部との前記挿入方向における距離と略等しいことを特徴とする請求項１に記載の鞍乗型車両。
【請求項６】
前記柱状部材は、前記ランプ側取付部及び前記フレーム側取付部によって保持される胴部と、前記胴部よりも前記鞍乗型車両の内側に位置する内側端部とを有し、
前記筒部の開口面と平行な前記内側端部の断面の少なくとも一部は、前記開口面と平行な前記胴部の断面よりも外側に張り出し、
前記挿入方向における前記内側端部の長さは、前記フレーム側取付部及び前記ランプ側取付部を含まない前記フレーム側取付部と前記ランプ側取付部との前記挿入方向における間隔以下であることを特徴とする請求項１に記載の鞍乗型車両。
【発明の詳細な説明】
【技術分野】
【０００１】
本発明は、自動二輪車など、操縦者が鞍に跨るような姿勢をとる鞍乗型車両に関し、特に、鞍乗型車両のランプユニットの取付構造に関する。
【背景技術】
【０００２】
従来、自動二輪車など、操縦者が鞍に跨るような姿勢をとり、２〜４輪を有する鞍乗型車両として、鞍乗型車両の骨格を形成するフレームと、鞍乗型車両の外側から鞍乗型車両の車体をカバーする車体カバーと、フレームの後部に取り付けられるランプユニット（リアランプユニット）とを備えた鞍乗型車両が知られている。
【０００３】
また、上述した車体カバーは、鞍乗型車両の内側に突出する突起部を有し、上述したランプユニットは、車体カバーに設けられた突起部が鞍乗型車両の外側から挿入されるランプ側取付孔が設けられたランプ側取付部を有する。
【０００４】
このように、車体カバーは、フレーム及びランプユニットに鞍乗型車両の外側から取り付けられることによって、鞍乗型車両の外観を装飾していた（例えば、特許文献１）。
【０００５】
また、この鞍乗型車両では、車体カバーの突起部がランプユニットのランプ側取付部にのみ挿入されるため、ランプユニットと車体カバーとの位置合せが容易であった。
【特許文献１】特許第３１７３１１８号公報（P2〜P3、図１）
【発明の開示】
【発明が解決しようとする課題】
【０００６】
しかしながら、従来の鞍乗型車両では、ランプユニットの重量を車体カバーの突起部のみによって支持することができないため、ランプユニットの重量を支持するために、ランプユニットをフレーム等にねじ止め（例えば、４箇所）する必要が生じ、ランプユニットの取付構造が複雑であった。
【０００７】
また、ランプユニットの取付構造を簡略にするために、ランプユニットをフレーム等にねじ止めする個所を減らすと、鞍乗型車両の走行中に発生する振動等によって、車体カバーに設けられた突起部が損傷する可能性（例えば、突起部が根元から折れる可能性）があった。
【０００８】
そこで、本発明は、上述した問題を解決するためになされたものであり、ランプユニットの取付構造を簡略にするとともに、車体カバーに設けられた突起部が損傷する可能性を軽減することが可能な鞍乗型車両を提供することを目的とする。
【課題を解決するための手段】
【０００９】
本発明の第１の特徴は、鞍乗型車両の外側から鞍乗型車両の車体をカバーし、車体に取り付けるための突起状の突起部を有する車体カバーと、突起部を保持する筒部を有する柱状部材と、フレーム側取付孔が設けられたフレーム側取付部を有するフレームと、ランプ側取付孔が設けられたランプ側取付部を有するランプユニットとを鞍乗型車両が備え、柱状部材が、フレーム側取付孔及びランプ側取付孔に挿入され、フレーム側取付孔及びランプ側取付孔に柱状部材が挿入される挿入方向における長さがフレーム側取付部及びランプ側取付部を含むフレーム側取付部とランプ側取付部との挿入方向における距離以上となる形状を有し、筒部は、挿入方向に開口し、突起部は、筒部に挿入され、挿入方向における長さがフレーム側取付部とランプ側取付部との挿入方向における距離以上となる形状を有することを要旨とする。
【００１０】
かかる特徴によれば、柱状部材が、フレーム側取付孔及びランプ側取付孔に挿入されることにより、ランプユニットをフレームに仮固定することができる。
【００１１】
従って、車体カバーの突起部が、ランプユニットをフレームに仮固定する柱状部材の筒部に挿入されることにより、ランプユニット、フレーム及び車体カバーの３者を容易に組み付けることができる（ランプユニットの取付構造が簡略となる）。
【００１２】
また、車体カバーの突起部が挿入された筒部を有する柱状部材が、ランプ側取付部に加えて、フレーム側取付部によって保持されることにより、鞍乗型車両の走行中に発生する振動等によって、車体カバーの突起部が損傷する可能性を軽減することができる。
【００１３】
本発明の第２の特徴は、本発明の第１の特徴において、フレーム側取付孔は、車体カバーの長手方向における長さがフレーム側取付孔に挿入された柱状部材の車体カバーの長手方向における長さよりも長く、車体カバーの短手方向における長さがフレーム側取付孔に挿入された柱状部材の車体カバーの短手方向における長さと略等しい長孔であることを要旨とする。
【００１４】
かかる特徴によれば、フレーム側取付孔が、車体カバーの長手方向における柱状部材の長さよりも、車体カバーの長手方向に長い長孔である（すなわち、車体カバーの長手方向に遊び部分を有する）ことにより、フレーム側取付孔及びランプ側取付孔に挿入された柱状部材の筒部と車体カバーの突起部との合せ位置をフレーム側取付孔（遊び部分）によって容易に調整することができる。
【００１５】
すなわち、フレームや車体カバー等の寸法誤差に起因する孔ずれの発生が軽減され、ランプユニット、フレーム及び車体カバーの３者を組み付ける作業がさらに容易となる（ランプユニットの取付構造がさらに簡略となる）。
【００１６】
また、車体カバーの短手方向におけるフレーム側取付孔の長さが、車体カバーの短手方向における柱状部材の長さと略等しいことにより、フレーム側取付部は、車体カバーの短手方向に対する柱状部材の動きを規制することができる。すなわち、車体カバーの短手方向に対する車体カバーとフレームとの位置合せの精度が向上する。
【００１７】
本発明の第３の特徴は、本発明の第１の特徴において、ランプ側取付孔は、車体カバーの長手方向における長さがランプ側取付孔に挿入された柱状部材の車体カバーの長手方向における長さと略等しく、車体カバーの短手方向における長さがランプ側取付孔に挿入された柱状部材の車体カバーの短手方向における長さと略等しい孔であることを要旨とする。
【００１８】
かかる特徴によれば、車体カバーの長手方向及び車体カバーの短手方向におけるランプ側取付孔の長さが、車体カバーの長手方向及び車体カバーの短手方向における柱状部材の長さと略等しいことにより、ランプ側取付部は、車体カバーの長手方向及び車体カバーの短手方向に対する柱状部材の動きを規制することができる。すなわち、車体カバーの長手方向及び車体カバーの短手方向に対する車体カバーとランプユニットとの位置合せの精度が向上する。
【００１９】
本発明の第４の特徴は、本発明の第１の特徴において、ランプ側取付部が、フレーム側取付部よりも鞍乗型車両の外側に配置されることを要旨とする。
【００２０】
かかる特徴によれば、フレーム側取付部が、車体カバーの突起部の先端側（鞍乗型車両の内側）で、車体カバーの突起部を支持することにより、フレーム側取付部は、車体カバーの突起部の根元側（鞍乗型車両の外側）にかかる応力を軽減することができる。
【００２１】
本発明の第５の特徴は、本発明の第１の特徴において、柱状部材が、ランプ側取付部及びフレーム側取付部によって保持される胴部と、胴部よりも鞍乗型車両の内側に位置する内側端部と、胴部よりも鞍乗型車両の外側に位置する外側端部とを有し、筒部の開口面と平行な内側端部の断面の少なくとも一部は、開口面と平行な胴部の断面よりも外側に張り出し、開口面と平行な外側端部の断面の少なくとも一部は、開口面と平行な胴部の断面よりも外側に張り出し、挿入方向における胴部の長さが、フレーム側取付部とランプ側取付部との挿入方向における距離と略等しいことを要旨とする。
【００２２】
かかる特徴によれば、挿入方向における胴部の長さが、フレーム側取付部とランプ側取付部との挿入方向における距離と略等しいことにより、内側端部（凸部）及び外側端部（凸部）は、内側端部及び外側端部によって挟まれる柱状部材の挿入方向に対する動きを規制することができる。
【００２３】
従って、柱状部材の挿入方向に対するフレーム側取付部とランプ側取付部との位置合せの精度が向上する。
【００２４】
なお、開口面と平行な胴部の断面よりも外側に張り出している内側端部の一部（凸部）は、フレーム側取付孔又はランプ側取付部に柱状部材を挿入することができるように、ゴム等の弾性部材によって構成されていることが好ましい。
【００２５】
本発明の第６の特徴は、本発明の第１の特徴において、柱状部材が、ランプ側取付部及びフレーム側取付部によって保持される胴部と、胴部よりも鞍乗型車両の内側に位置する内側端部とを有し、筒部の開口面と平行な内側端部の断面の少なくとも一部は、開口面と平行な胴部の断面よりも外側に張り出し、挿入方向における内側端部の長さが、フレーム側取付部及びランプ側取付部を含まないフレーム側取付部とランプ側取付部との挿入方向における間隔以下であることを要旨とする。
【００２６】
かかる特徴によれば、挿入方向における内側端部の長さが、フレーム側取付部及びランプ側取付部を含まないフレーム側取付部とランプ側取付部との挿入方向における間隔以下であることにより、ランプ側取付孔（又は、フレーム側取付孔）に柱状部材を一旦挿入した後に、フレーム側取付部（又は、ランプ側取付部）に沿って柱状部材をスライドさせることができる。
【００２７】
また、筒部の開口面と平行な内側端部の断面の少なくとも一部が、開口面と平行な胴部の断面よりも外側に張り出していることにより、ランプ側取付孔（又は、フレーム側取付孔）に柱状部材を一旦挿入されると、ランプ側取付部（又は、フレーム側取付部）に内側端部（凸部）が引っ掛かって、柱状部材がランプ側取付孔（又は、フレーム側取付孔）から抜けるにくくなる。
【００２８】
従って、柱状部材によってフレームにランプユニットを仮固定する作業が容易となる。
【００２９】
なお、開口面と平行な胴部の断面よりも外側に張り出している内側端部の一部（凸部）は、ランプ側取付孔に柱状部材を挿入することを容易にするために、ゴム等の弾性部材によって構成されていることが好ましい。
【発明の効果】
【００３０】
本発明によれば、ランプユニットの取付構造を簡略にするとともに、車体カバーに設けられた突起部が損傷する可能性を軽減することが可能な鞍乗型車両を提供することができる。
【発明を実施するための最良の形態】
【００３１】
（本発明の一実施形態に係る鞍乗型車両の構成）
以下において、本発明の一実施形態に係る鞍乗型車両について、図面を参照しながら説明する。なお、鞍乗型車両とは、自動二輪車など、操縦者が鞍に跨るような姿勢をとり、２〜４輪を有するものである。図１は、本発明の一実施形態に係る鞍乗型車両１を示す外観図である。
【００３２】
図１に示すように、鞍乗型車両１は、鞍乗型車両１の骨格を構成するフレーム（図１では、不図示）と、鞍乗型車両１の外側から鞍乗型車両１の車体をカバーする車体カバー１０と、テールランプ等を有するリアランプユニット２０と、フレームの後部に取り付けられるフェンダー３０と、操縦者が跨るシート６０と、２つの車輪（車輪７０ａ及び車輪７０ｂ）とを備える。
【００３３】
以下において、本発明の一実施形態に係る鞍乗型車両１の後部について説明する。図２は、本発明の一実施形態に係る鞍乗型車両１の後部を示す外観斜視図である。なお、図２では、上述したシート６０等は説明を容易にするために省略されている。
【００３４】
図２に示すように、鞍乗型車両１の後部には、車体カバー１０、リアランプユニット２０及びフェンダー３０が取り付けられる。なお、車体カバー１０、リアランプユニット２０及びフェンダー３０は、フレーム４０に取り付けられる。
【００３５】
以下において、車体カバー１０及びリアランプユニット２０をフレーム４０に取り付ける方法について、図面を参照しながら説明する。図３は、本発明の一実施形態に係る鞍乗型車両１の後部を示す分解斜視図である。
【００３６】
図３に示すように、車体カバー１０は、鞍乗型車両１の進行方向に向かって左側の車体をカバーする左車体カバー１０ａと、鞍乗型車両１の進行方向に向かって右側の車体をカバーする右車体カバー１０ｂとによって構成されている。
【００３７】
また、左車体カバー１０ａは、左車体カバー１０ａを鞍乗型車両１の車体に取り付けるための突起部１１ａを有する。同様に、右車体カバー１０ｂは、右車体カバー１０ｂを鞍乗型車両１の車体に取り付けるための突起部１１ｂを有する。
【００３８】
なお、突起部１１ａは、鞍乗型車両１の幅方向内側に突出し、鞍乗型車両１の幅方向の長さがリアランプ側取付部２１とフレーム側取付部４１との距離（後述する（ｂ’）以上となる形状を有する。同様に、突起部１１ｂは、鞍乗型車両１の幅方向内側に突出し、鞍乗型車両１の幅方向の長さがリアランプ側取付部２１とフレーム側取付部４１との距離（後述する（ｂ’）以上となる形状を有する。なお、以下において、突起部１１ａ及び突起部１１ｂを総称して、突起部１１と称する。
【００３９】
リアランプユニット２０は、後述するグロメット５０ａが挿入されるリアランプ側取付孔２２ａが設けられたリアランプ側取付部２１ａと、後述するグロメット５０ｂが挿入されるリアランプ側取付孔２２ｂが設けられたリアランプ側取付部２１ｂと、リアランプユニット２０の突起部３１が挿入される取付孔２３とを有する。
【００４０】
また、リアランプ側取付孔２２ａは、左車体カバー１０ａの長手方向における長さがリアランプ側取付孔２２ａに挿入されたグロメット５０ａの左車体カバー１０ａの長手方向における長さと略等しく、左車体カバー１０ａの短手方向における長さがリアランプ側取付孔２２ａに挿入されたグロメット５０ａの左車体カバー１０ａの短手方向における長さと略等しい孔である。
【００４１】
同様に、リアランプ側取付孔２２ｂは、右車体カバー１０ｂの長手方向における長さがリアランプ側取付孔２２ｂに挿入されたグロメット５０ａの右車体カバー１０ｂの長手方向における長さと略等しく、右車体カバー１０ｂの短手方向における長さがリアランプ側取付孔２２ｂに挿入されたグロメット５０ａのリアランプ側取付孔２２ｂの短手方向における長さと略等しい孔である。
【００４２】
なお、リアランプ側取付部２１ａ及びリアランプ側取付部２１ｂを総称して、リアランプ側取付部２１と称し、リアランプ側取付孔２２ａ及びリアランプ側取付孔２２ｂを総称して、リアランプ側取付孔２２と称する。
【００４３】
フェンダー３０は、リアランプユニット２０の取付孔２３に挿入される突起部３１を有する。また、上述したリアランプユニット２０は、取付孔２３に突起部３１が挿入されることによって、フェンダー３０に仮置きされる。
【００４４】
フレーム４０は、後述するグロメット５０ａが挿入されるフレーム側取付孔４２ａが設けられたフレーム側取付部４１ａと、後述するグロメット５０ｂが挿入されるフレーム側取付孔４２ｂが設けられたフレーム側取付部４１ｂとを有する。
【００４５】
また、フレーム側取付孔４２ａは、左車体カバー１０ａの長手方向における長さがフレーム側取付孔４２ａに挿入されたグロメット５０ａの左車体カバー１０ａの長手方向における長さよりも長く、左車体カバー１０ａの短手方向における長さがフレーム側取付孔４２ａに挿入されたグロメット５０ａの左車体カバー１０ａの短手方向における長さと略等しい長孔である。同様に、フレーム側取付孔４２ｂは、右車体カバー１０ｂの長手方向における長さがフレーム側取付孔４２ｂに挿入されたグロメット５０ｂの右車体カバー１０ｂの長手方向における長さよりも長く、右車体カバー１０ｂの短手方向における長さがフレーム側取付孔４２ｂに挿入されたグロメット５０ｂの右車体カバー１０ｂの短手方向における長さと略等しい長孔である。
【００４６】
なお、フレーム側取付部４１ａ及びフレーム側取付部４１ｂを総称して、フレーム側取付部４１と称し、フレーム側取付孔４２ａ及びフレーム側取付孔４２ｂを総称して、フレーム側取付孔４２と称する。
【００４７】
グロメット５０ａは、左車体カバー１０ａの突起部１１ａを保持する筒部５０ａを有する。同様に、グロメット５０ｂは、右車体カバー１０ｂの突起部１１ｂを保持する筒部５０ｂを有する。なお、グロメット５０ａ及びグロメット５０ｂは、同様の構成を有しており、総称してグロメット５０と称する。また、本実施形態では、グロメット５０は、ゴム等の弾性部材によって構成されている。
【００４８】
以下において、本発明の一実施形態に係るグロメット５０について、図面を参照しながら説明する。図４は、本発明の一実施形態に係るグロメット５０を示す図である。
【００４９】
なお、図４（ａ）は、リアランプ側取付孔２２及びフレーム側取付孔４２にグロメット５０が挿入される状態で、鞍乗型車両１の幅方向外側から見たグロメット５０を示す図であり、図４（ｂ）は、リアランプ側取付孔２２及びフレーム側取付孔４２にグロメット５０が挿入される状態で、鞍乗型車両１の進行方向側から見たグロメット５０を示す図である。また、図４（ｃ）は、リアランプ側取付孔２２及びフレーム側取付孔４２にグロメット５０が挿入される状態で、鞍乗型車両１の幅方向内側から見たグロメット５０を示す図であり、図４（ｄ）は、グロメット５０のＢ断面を示す断面図である。
【００５０】
図４（ａ）〜図４（ｄ）に示すように、グロメット５０は、筒部５１と、外側端部５２と、胴部５３と、内側端部５４とを有し、円柱状の形状を有する。
【００５１】
筒部５１は、上述したように、車体カバー１０の突起部１１を保持する。また、筒部５１は、リアランプ側取付孔２２及びフレーム側取付孔４２にグロメット５０が挿入される方向（本実施形態では、鞍乗型車両１の幅方向）に開口する。
【００５２】
さらに、筒部５１は、一旦挿入された突起部１１が抜けないように、突起部１１を保持する形状（本実施形態では、筒部５１の開口面が星型となる形状）を有する
外側端部５２は、筒部５１の径外側方向に突出する凸部を有する。すなわち、筒部５１の開口面と平行な外側端部５２の断面は、筒部５１の開口面と平行な胴部５３の断面よりも外側に張り出している。
【００５３】
従って、外側端部５２の凸部がリアランプ側取付部２１に引っ掛かるため、グロメット５０は、リアランプ側取付孔２２よりも鞍乗型車両１の幅方向内側に入り込みにくい。
【００５４】
胴部５３は、リアランプ側取付孔２２及びフレーム側取付孔４２にグロメット５０が挿入された状態で、リアランプ側取付部２１及びフレーム側取付部４１によって保持される。
【００５５】
また、リアランプ側取付孔２２及びフレーム側取付孔４２にグロメット５０が挿入される方向（本実施形態では、鞍乗型車両１の幅方向）における胴部５３の長さ（ｂ）は、グロメット５０が挿入される方向におけるリアランプ側取付部２１とフレーム側取付部４１との距離（後述する（ｂ’））と略等しい。
【００５６】
内側端部５４は、筒部５１の径外側方向に突出する凸部を有する。すなわち、筒部５１の開口面と平行な内側端部５４の断面は、筒部５１の開口面と平行な胴部５３の断面よりも外側に張り出している。
【００５７】
従って、内側端部５４の凸部がリアランプ側取付部２１及びフレーム側取付部４１に引っ掛かるため、グロメット５０は、リアランプ側取付孔２２に鞍乗型車両１の幅方向外側から一旦挿入されると、鞍乗型車両１の幅方向外側に抜けにくくなる。同様に、グロメット５０は、フレーム側取付孔４２に鞍乗型車両１の幅方向外側から一旦挿入されると、鞍乗型車両１の幅方向外側に抜けにくくなる。
【００５８】
また、リアランプ側取付孔２２及びフレーム側取付孔４２にグロメット５０が挿入される方向（本実施形態では、鞍乗型車両１の幅方向）における内側端部５４の長さ（ａ）は、グロメット５０が挿入される方向におけるリアランプ側取付部２１とフレーム側取付部４１との間隔（後述する（ａ’））以下である。
【００５９】
さらに、内側端部５４の凸部は、開口面側から胴部５３側となるに従って、筒部５１の径方向外側に張り出す度合いが大きくなる形状を有する
従って、グロメット５０は、リアランプ側取付孔２２及びフレーム側取付孔４２に鞍乗型車両１の幅方向外側から容易に挿入され、リアランプ側取付孔２２及びフレーム側取付孔４２に一旦挿入されると、鞍乗型車両１の幅方向外側に抜けにくくなる。
【００６０】
以下において、車体カバー１０及びリアランプユニット２０をフレーム４０に取り付ける方法の詳細について、図面を参照しながら説明する。図５は、本発明の一実施形態に係る鞍乗型車両１の後部を示す斜視図である。
【００６１】
図５に示すように、リアランプユニット２０は、鞍乗型車両１の幅方向外側からグロメット５０ａがリアランプ側取付孔２２ａ及びフレーム側取付孔４２ａに挿入されることによって、フレーム４０に仮固定される。同様に、リアランプユニット２０は、鞍乗型車両１の幅方向外側からグロメット５０ｂがリアランプ側取付孔２２ｂ及びフレーム側取付孔４２ｂに挿入されることによって、フレーム４０に仮固定される。
【００６２】
ここで、上述したように、グロメット５０は、リアランプ側取付孔２２に鞍乗型車両１の幅方向外側から一旦挿入されると、グロメット５０の内側端部５４の凸部がリアランプ側取付部２１に引っ掛かるため、鞍乗型車両１の幅方向外側に抜けにくくなる。また、グロメット５０は、グロメット５０の外側端部５２の凸部がリアランプ側取付部２１に引っ掛かるため、リアランプ側取付孔２２よりも鞍乗型車両１の幅方向内側に入り込みにくい。
【００６３】
従って、グロメット５０をリアランプ側取付孔２２に鞍乗型車両１の幅方向外側から挿入した後に、フレーム側取付部４１に沿ってグロメット５０をスライドさせながら、グロメット５０をフレーム側取付孔４２ｂに挿入することによって、リアランプユニット２０はフレーム４０に容易に仮固定される。
【００６４】
また、左車体カバー１０ａの突起部１１ａ（図５では、不図示）は、リアランプユニット２０をフレーム４０に仮固定するグロメット５０ａの筒部５０ａに挿入される。同様に、右車体カバー１０ｂの突起部１１ｂは、リアランプユニット２０をフレーム４０に仮固定するグロメット５０ｂの筒部５０ｂに挿入される。
【００６５】
ここで、上述したように、グロメット５０は、フレーム側取付孔４２に鞍乗型車両１の幅方向外側から一旦挿入されると、グロメット５０の内側端部５４の凸部がフレーム側取付部４１に引っ掛かるため、鞍乗型車両１の幅方向外側に抜けにくくなる。また、グロメット５０は、グロメット５０の外側端部５２の凸部がリアランプ側取付部２１に引っ掛かるため、リアランプ側取付孔２２よりも鞍乗型車両１の幅方向内側に入り込みにくい。
【００６６】
従って、グロメット５０がリアランプユニット２０をフレーム４０に仮固定する状態で保持され、車体カバー１０の突起部１１は、リアランプユニット２０をフレーム４０に仮固定するグロメット５０の筒部５１に容易に挿入される。
【００６７】
また、上述したように、フレーム側取付孔４２ａは、フレーム側取付孔４２ａに挿入されたグロメット５０ａの左車体カバー１０ａの長手方向における長さよりも、左車体カバー１０ａの長手方向に長い長孔である。同様に、フレーム側取付孔４２ｂは、フレーム側取付孔４２ｂに挿入されたグロメット５０ｂの右車体カバー１０ｂの長手方向における長さよりも、右車体カバー１０ｂの長手方向に長い長孔である。
【００６８】
すなわち、フレーム側取付孔４２は、車体カバー１０の長手方向に遊び部分を有するため、リアランプ側取付孔２２及びフレーム側取付孔４２に挿入されたグロメット５０の筒部５１に車体カバー１０の突起部１１を挿入する合せ位置は、遊び部分によって調整される。
【００６９】
以下において、本発明の一実施形態に係る車体カバー１０、リアランプユニット２０、フレーム４０及びグロメット５０の位置関係について、図面を参照しながら説明する。図６は、図１中のＡ方向から見た鞍乗型車両１の断面を示す断面図である。
【００７０】
図６に示すように、車体カバーの突起部１１は、鞍乗型車両１の幅方向外側からグロメット５０に挿入される。また、リアランプ側取付部２１は、フレーム側取付部４１よりも鞍乗型車両１の幅方向外側に位置する。さらに、グロメット５０は、リアランプ側取付部２１に加えて、フレーム側取付部４１によって保持される。
【００７１】
また、リアランプ側取付孔２２及びフレーム側取付孔４２にグロメット５０が挿入される方向（本実施形態では、鞍乗型車両１の幅方向）におけるリアランプ側取付部２１とフレーム側取付部４１との距離（ｂ’）は、上述した胴部５３の長さ（ｂ）と略等しい。
【００７２】
なお、リアランプ側取付部２１とフレーム側取付部４１との距離（ｂ’）には、グロメット５０が挿入される方向におけるリアランプ側取付部２１の厚み及びグロメット５０が挿入される方向におけるフレーム側取付部４１の厚みが含まれている。
【００７３】
すなわち、リアランプ側取付部２１とフレーム側取付部４１との距離（ｂ’）とは、鞍乗型車両１の幅方向外側のリアランプ側取付部２１の面と、鞍乗型車両１の幅方向内側のフレーム側取付部４１の面との距離である。
【００７４】
ここで、上述したように、グロメット５０は、外側端部５２の凸部がリアランプ側取付部２１に引っ掛かるため、鞍乗型車両１の幅方向内側に入り込みにくく、内側端部５４の凸部がフレーム側取付部４１に引っ掛かるため、鞍乗型車両１の幅方向外側に抜けにくい。また、リアランプ側取付部２１とフレーム側取付部４１との距離（ｂ’）は、グロメット５０が挿入される方向における胴部５３の長さ（ｂ）と略等しい。すなわち、グロメット５０は、リアランプユニット２０をフレーム４０に仮固定する状態で保持される。
【００７５】
また、リアランプ側取付孔２２及びフレーム側取付孔４２にグロメット５０が挿入される方向（本実施形態では、鞍乗型車両１の幅方向）におけるリアランプ側取付部２１とフレーム側取付部４１との間隔（ａ’）は、グロメット５０が挿入される方向における内側端部５４の長さ（ａ）よりも長い。
【００７６】
なお、リアランプ側取付部２１とフレーム側取付部４１との間隔（ａ’）には、グロメット５０が挿入される方向におけるリアランプ側取付部２１の厚み及びグロメット５０が挿入される方向におけるフレーム側取付部４１の厚みが含まれていない。
【００７７】
すなわち、リアランプ側取付部２１とフレーム側取付部４１との間隔（ａ’）とは、鞍乗型車両１の幅方向内側のリアランプ側取付部２１の面と、鞍乗型車両１の幅方向外側のフレーム側取付部４１の面との間隔である。
【００７８】
ここで、リアランプ側取付部２１とフレーム側取付部４１との間隔（ａ’）が内側端部５４の長さ（ａ）よりも長いため、リアランプ側取付孔２２にグロメット５０を一旦挿入した後に、フレーム側取付部４１に沿ってグロメット５０を滑らせながら、フレーム側取付孔４２にグロメット５０を容易に挿入することができる。
【００７９】
（本発明の一実施形態に係る鞍乗型車両の作用及び効果）
本発明の一実施形態に係る鞍乗型車両１によれば、グロメット５０が、フレーム側取付孔４２及びリアランプ側取付孔２２に挿入されることにより、リアランプユニット２０をフレーム４０に仮固定することができる。また、車体カバー１０の突起部１１が、リアランプユニット２０をフレーム４０に仮固定するグロメット５０の筒部５１に挿入されることにより、車体カバー１０、リアランプユニット２０及びフレーム４０の３者を容易に組み付けることができる。
【００８０】
また、車体カバー１０の突起部１１が挿入された筒部５１を有するグロメット５０が、リアランプ側取付部２１に加えて、フレーム側取付部４１によって保持されることにより、鞍乗型車両１の走行中に発生する振動等によって、車体カバー１０の突起部１１が損傷する可能性を軽減することができる。
【００８１】
さらに、フレーム側取付部４１が、車体カバー１０の突起部１１の先端側（鞍乗型車両１の幅方向内側）で、車体カバー１０の突起部１１を支持することにより、フレーム側取付部４１は、車体カバー１０の突起部１１の根元側（鞍乗型車両１の幅方向外側）にかかる応力を軽減することができる。
【００８２】
また、フレーム側取付孔４２が、フレーム側取付孔４２に挿入されたグロメット５０の車体カバー１０の長手方向よりも、車体カバー１０の長手方向に長い長孔である（すなわち、車体カバー１０の長手方向に遊び部分がある）ことにより、フレーム側取付孔４２及びリアランプ側取付孔２２に挿入されたグロメット５０の筒部５１と車体カバー１０の突起部１１との合せ位置をフレーム側取付孔４２（遊び部分）で容易に調整することができる。
【００８３】
具体的には、車体カバー１０は、鞍乗型車両１の前方でフレーム４０（又は、フレーム４０に取り付けられた部材（例えば、バッテリーＢＯＸ））に取り付けられているが、車体カバー１０及びフレーム４０（又は、フレーム４０に取り付けられた部材）の寸法誤差によって、発生する孔ずれをフレーム側取付孔４２で吸収することができる。
【００８４】
すなわち、孔ずれに起因して車体カバー１０が割れる可能性が軽減され、車体カバー１０、リアランプユニット２０及びフレーム４０の３者を組み付ける作業がさらに容易となる。
【００８５】
また、グロメット５０が、フレーム側取付孔４２及びリアランプ側取付孔２２に鞍乗型車両１の幅方向外側から挿入されることにより、鞍乗型車両１の幅方向内側に位置する部材（フレーム４０の一部及びリアランプユニット２０の一部等）によって、フレーム側取付孔４２及びリアランプ側取付孔２２にグロメット５０を挿入する作業が妨げられることなく、フレーム側取付部４１及びリアランプ側取付部２１にグロメット５０を取り付けることができる。
【００８６】
さらに、筒部５１の開口面と平行な内側端部５４の断面の少なくとも一部（凸部）が、筒部５１の開口面と平行な胴部５３の断面よりも外側に張り出していることにより、リアランプ側取付孔２２に鞍乗型車両１の幅方向外側からグロメット５０が一旦挿入されると、リアランプ側取付部２１に内側端部５４の凸部が引っ掛かるため、グロメット５０がリアランプ側取付孔２２から鞍乗型車両１の幅方向外側に抜けにくい。
【００８７】
また、リアランプ側取付部２１とフレーム側取付部４１との間隔（ａ’）が、内側端部５４の長さ（ａ）よりも長いことにより、グロメット５０をリアランプ側取付孔２２に挿入した後に、フレーム側取付部４１に沿ってグロメット５０をスライドさせながら、グロメット５０をリアランプ側取付孔２２に挿入することができる。
【００８８】
すなわち、グロメット５０によってリアランプユニット２０をフレーム４０に容易に仮固定することができる。
【００８９】
さらに、筒部５１の開口面と平行な内側端部５４の断面の少なくとも一部（凸部）が、筒部５１の開口面と平行な胴部５３の断面よりも外側に張り出していることにより、フレーム側取付孔４２にグロメット５０が鞍乗型車両１の幅方向外側から一旦挿入されると、グロメット５０の内側端部５４の凸部がフレーム側取付部４１に引っ掛かるため、グロメット５０が鞍乗型車両１の幅方向外側に抜けにくくなる。
【００９０】
また、筒部５１の開口面と平行な外側端部５２の断面の少なくとも一部（凸部）が、筒部５１の開口面と平行な胴部５３の断面よりも外側に張り出していることにより、グロメット５０の外側端部５２の凸部がリアランプ側取付部２１に引っ掛かるため、リアランプ側取付孔２２よりも鞍乗型車両１の幅方向内側に入り込みにくい。
【００９１】
さらに、リアランプ側取付部２１とフレーム側取付部４１との距離（ｂ’）は、胴部５３の長さ（ｂ）と略等しい。
【００９２】
従って、リアランプ側取付部２１及びフレーム側取付部４１が、鞍乗型車両１の幅方向に対するグロメット５０の動きを規制することにより、鞍乗型車両１の幅方向に対するリアランプユニット２０とフレーム４０との位置合せの精度が向上する。
【００９３】
また、リアランプ側取付部２１及びフレーム側取付部４１が、リアランプユニット２０をフレーム４０に仮固定した状態でグロメット５０を保持するため、リアランプユニット２０をフレーム４０に仮固定するグロメット５０の筒部５１に車体カバー１０の突起部１１を挿入する作業が容易となる。
【００９４】
（他の実施形態）
上述した実施形態は、本発明の一実施形態を示すものであり、本発明は、上述した実施形態に限定されるものではない。すなわち、以下に示す変更を上述した実施形態に加えてもよい。
【００９５】
具体的には、上述した実施形態では、グロメット５０は、リアランプ側取付孔２２及びフレーム側取付孔４２に鞍乗型車両１の幅方向外側から挿入されるものとして説明したが、これに限定されるものではなく、グロメット５０は、リアランプ側取付孔２２及びフレーム側取付孔４２に鞍乗型車両１の幅方向内側から挿入されてもよく、その他方向（例えば、鞍乗型車両１の上下方向、鞍乗型車両１の前後方向、鞍乗型車両１の斜め方向）から挿入されてもよい。
【００９６】
また、上述した実施形態では、リアランプユニット２０をフレーム４０に仮固定するグロメット５０の数は、２つ（グロメット５０ａ及びグロメット５０ｂ）であるものとして説明したが、これに限定されるものではなく、グロメット５０の数は、１つ又は３つ以上であってもよい。
【００９７】
さらに、上述した実施形態では、グロメット５０は、円柱状の形状を有するものとして説明したが、これに限定されるものではなく、グロメット５０は、三角柱や四角柱等の形状を有していてもよい。
【００９８】
また、上述した実施形態では、グロメット５０は、筒部５１の開口面が星型となる形状を有するものとして説明したが、これに限定されるものではなく、グロメット５０は、筒部５１の開口面が三角形や四角形等の多角形や円等となる形状を有していてもよい。
【００９９】
さらに、上述した実施形態では、リアランプ側取付部２１は、フレーム側取付部４１よりも鞍乗型車両１の幅方向外側に配置されるものとして説明したが、これに限定されるものではなく、リアランプ側取付部２１は、フレーム側取付部４１よりも鞍乗型車両１の幅方向内側に配置されてもよい。
【０１００】
また、上述した実施形態では、フレーム４０にリアランプユニット２０を取り付ける例について説明したが、これに限定されるものではなく、車体カバー１０とともにフレーム４０に組み付けられるランプユニットであればよい。
【図面の簡単な説明】
【０１０１】
【図１】本発明の一実施形態に係る鞍乗型車両１を示す外観図である。
【図２】本発明の一実施形態に係る鞍乗型車両１の後部を示す外観斜視図である。
【図３】本発明の一実施形態に係る鞍乗型車両１の後部を示す分解斜視図である（その１）。
【図４】本発明の一実施形態に係るグロメット５０を示す図である。
【図５】本発明の一実施形態に係る鞍乗型車両１の後部を示す分解斜視図である（その２）。
【図６】本発明の一実施形態に係る車体カバー１０、リアランプユニット２０、フレーム４０及びグロメット５０の位置関係を示す図である。
【符号の説明】
【０１０２】
１・・・鞍乗型車両、１０・・・車体カバー、１１・・・突起部、２０・・・リアランプユニット、２１・・・リアランプ側取付部、２２・・・リアランプ側取付孔、２３・・・取付孔、３０・・・フェンダー、３１・・・突起部、４０・・・フレーム、４１・・・フレーム側取付部、４２・・・フレーム側取付孔、５０・・・グロメット、５１・・・筒部、５２・・・外側端部、５３・・・胴部、５４・・・内側端部、６０・・・シート、７０・・・車輪
【図１】
2006088939.tif 000003
【図２】
2006088939.tif 000004
【図３】
2006088939.tif 000005
【図４】
2006088939.tif 000006
【図５】
2006088939.tif 000007
【図６】
2006088939.tif 000008